(57)【特許請求の範囲】
【請求項１】
コンピュータに接続された表示装置を用いた商品カタログ表示装置であって、商品の文字情報及び前記商品文字情報と関連付けられた商品画像とを階層的に記憶し、更に、それぞれの一つ商品情報をその一つの商品に関する付属商品の情報と関連づけて記憶している記憶手段と、商品情報に関する文字及び画像検索手段と検索および選択画面表示手段と前記検索および選択画面からの文字及び商品の選択情報を入力するための入力手段とを備え、前記検索および選択画面表示手段は、第1,第2 グラフィックセクション、文字検索セクション、選択候補リストセクション、付属品リストセクション、ツリービューセクションで構成される一つの画面を表示し、前記第1 グラフィックセクションにおいて、前記記憶手段に記憶された商品情報に基づいて商品の画像が表示され、このセクション若しくはいずれかのセクションで商品が選択されると、選択された商品及びその商品の付属品も同時にこの画面上で強調されて表示され、前記第2 グラフィックセクションにおいて、前記第1 グラフィックセクションにおいて表示された商品画像を含む、一階層上の商品群画像が表示され、前記文字検索セクションにおいて、前記検索手段によって商品を検索するために商品の文字情報を入力するための入力欄が表示され、前記選択候補リストセクションにおいて、前記第１グラフィックセクションで選択された商品若しくは前記文字検索セクションの検索結果である商品の文字情報が前記記憶手段に記憶された商品情報に基づいて商品リストとして表示され、前記付属品リストセクションにおいて、前記選択候補リストセクションで選択された商品に関する付属品の文字情報が前記記憶手段に記憶された商品情報に基づいて表示され、前記ツリービューセクションにおいて、前記選択候補リストセクションで選択された商品に関する情報が記憶された記憶手段における階層を表示し、更に、これらのセクションは互いに連動して画面をきりかえるようにリンクされており、いずれかのセクションで商品が選択されると、その選択された部品に関する情報を他の各セクションが自動的に表示することを特徴とする商品カタログ表示装置。
【請求項２】
前記請求項２に記載の商品カタログ表示装置において、前記検索および選択画面で選択された商品情報及び前記選択された商品の付属品を確認するための確認画面が表示する確認画面表示手段と、前記検索および選択画面で選択された商品情報を前記確認画面表示手段に転送する転送手段と、前記確認画面で確認された確認情報に基づいて注文画面を表示する注文画面表示手段と、前記確認画面および注文画面からの文字や確認情報を入力するための入力手段と所定の商品情報に関する数値計算を行う計算手段とを更に備えた商品カタログ表示装置。
【請求項３】
表示装置と、前記表示装置に接続されたコンピュータを商品カタログ表示装置の各手段として機能させるための商品カタログ表示プログラムであって、商品の文字情報及び前記商品文字情報と関連付けられた商品画像とを階層的に記憶し、更に、それぞれの一つ商品情報をその一つの商品に関する付属商品の情報と関連づけて記憶手段に記憶する手順と、商品情報に関する文字及び画像を検索する手順と検索および選択画面を表示する手順と前記検索および選択画面からの文字及び商品の選択情報を入力するための入力手順と、前記検索および選択画面で選択された商品情報及び前記選択された商品の付属品を確認するための確認画面が表示する手順と、前記検索および選択画面で選択された商品情報を前記確認画面に転送する転送手順と、前記確認画面で確認された確認情報に基づいて注文画面を表示する注文画面表示手順と、前記確認画面および注文画面からの文字や確認情報を入力するための入力手順と、所定の商品情報に関する数値計算を行う計算手順段とを含み、更に、前記検索および選択画面の表示手順は、第1,第2 グラフィックセクション、文字検索セクション、選択候補リストセクション、付属品リストセクション、ツリービューセクションを一つの画面を表示する手順と、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示する手順と、前記第2 グラフィックセクションにおいて、前記第1 グラフィックセクションにおいて表示された商品画像を含む、一階層上の商品群画像を表示する手順と、前記文字検索セクションにおいて、前記検索手段によって商品を検索するために商品の文字情報を入力するための入力欄を表示する手順と、前記選択候補リストセクションにおいて、前記第１グラフィックセクションで選択された商品若しくは前記文字検索セクションの検索結果である商品の文字情報を前記記憶手段に記憶された商品情報に基づいて商品リストとして表示する手順と、前記付属品リストセクションにおいて、前記選択候補リストセクションで選択された商品に関する付属品の文字情報を前記記憶手段に記憶された商品情報に基づいて表示する手順と、前記ツリービューセクションにおいて、前記選択候補リストセクションで選択された商品に関する情報が記憶された記憶手段における階層を表示する手順と、更に、これらのセクションは互いに連動して画面をきりかえるようにリンクする手順と、いずれかのセクションで商品が選択されると、その選択された部品に関する情報を他の各セクションが自動的に表示する手順とを含む商品カタログ表示プログラム。
【請求項４】
表示装置と、前記表示装置に接続されたコンピュータを商品カタログ表示装置の各手段として機能させるための商品カタログ表示プログラムを記憶したコンピュータに読取可能な記録媒体であって、商品の文字情報及び前記商品文字情報と関連付けられた商品画像とを階層的に記憶し、更に、それぞれの一つ商品情報をその一つの商品に関する付属商品の情報と関連づけて記憶手段に記憶する手順と、商品情報に関する文字及び画像を検索する手順と検索および選択画面を表示する手順と前記検索および選択画面からの文字及び商品の選択情報を入力するための入力手順と、前記検索および選択画面で選択された商品情報及び前記選択された商品の付属品を確認するための確認画面が表示する手順と、前記検索および選択画面で選択された商品情報を前記確認画面に転送する転送手順と、前記確認画面で確認された確認情報に基づいて注文画面を表示する注文画面表示手順と、前記確認画面および注文画面からの文字や確認情報を入力するための入力手順と、所定の商品情報に関する数値計算を行う計算手順段とを含み、更に、前記検索および選択画面の表示手順は、第1,第2 グラフィックセクション、文字検索セクション、選択候補リストセクション、付属品リストセクション、ツリービューセクションを一つの画面を表示する手順と、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示する手順と、前記第2 グラフィックセクションにおいて、前記第1 グラフィックセクションにおいて表示された商品画像を含む、一階層上の商品群画像を表示する手順と、前記文字検索セクションにおいて、前記検索手段によって商品を検索するために商品の文字情報を入力するための入力欄を表示する手順と、前記選択候補リストセクションにおいて、前記第１グラフィックセクションで選択された商品若しくは前記文字検索セクションの検索結果である商品の文字情報を前記記憶手段に記憶された商品情報に基づいて商品リストとして表示する手順と、前記付属品リストセクションにおいて、前記選択候補リストセクションで選択された商品に関する付属品の文字情報を前記記憶手段に記憶された商品情報に基づいて表示する手順と、前記ツリービューセクションにおいて、前記選択候補リストセクションで選択された商品に関する情報が記憶された記憶手段における階層を表示する手順と、更に、これらのセクションは互いに連動して画面をきりかえるようにリンクする手順と、いずれかのセクションで商品が選択されると、その選択された部品に関する情報を他の各セクションが自動的に表示する手順を含むものとしてコンピュータを機能させるための商品カタログ表示プログラムを記録したコンピュータ読取可能な記録媒体。
【発明の詳細な説明】
【０００１】
【発明の属する技術分野】
本発明は、コンピュータに接続された表示装置を用いた商品カタログ表示装置及び、前記コンピュータを本発明の商品カタログ表示装置の各手段として機能させるための各手順を含む商品カタログ表示プログラムに関する。
【０００２】
【従来の技術】
従来、商品カタログは、紙を製本化若しくは小冊子化したものであった。そのような商品カタログの中に、例えば、 1万個という部品を紹介する紙製部品カタログがあった。
【０００３】
【発明が解決しようとする課題】
このような紙製部品カタログにおいては、所望の部品を検索するのがとても困難であった。あわせて、所望の部品を使用する際に、必ず必要となる付属部品を捜すのも大変困難であった。
更に、前記商品カタログから所望の部品及びそれに対する必要付属品をようやく見出して紙の注文表に所望の部品の注文数等を記入したとしても、注文重量や価格等を計算するには、電気計算機を用いるか、パーソナルコンピュータ（以下、PCという）にインストールされた汎用表計算ソフトを用いなければならず大変不便であった。
【０００４】
本発明は、上記問題を鑑みてなされたものであって、その目的とするところは、コンピュータに接続された表示装置を用いた商品カタログ表示装置であって、所望の商品及びその所望の商品に関する付属品の検索が表示画面上で容易である商品カタログ表示装置及び、前記コンピュータを本発明の商品カタログ表示装置の各手段として機能させるための各手順を含む商品カタログ表示プログラムを提供するものである。
更に、所定の商品情報、例えば、重量や価格に関して数値計算が表示画面上で可能な商品カタログ表示装置及び、前記コンピュータを本発明の商品カタログ表示装置の各手段として機能させるための各手順を含む商品カタログ表示プログラムを提供するものである。
【０００５】
【課題を解決するための手段】
上記目的を達成するために請求項１記載の本発明の商品カタログ表示装置は、コンピュータに接続された表示装置を用いた商品カタログ表示装置であって、商品の文字情報及び前記商品文字情報と関連付けられた商品画像とを階層的に記憶し、更に、それぞれの一つ商品情報をその一つの商品に関する付属商品の情報と関連づけて記憶している記憶手段と、商品情報に関する文字及び画像検索手段と、検索および選択画面表示手段と、前記検索および選択画面からの文字及び商品の選択情報を入力するための入力手段とを備えている。更に、前記検索および選択画面表示手段は、第1,第2 グラフィックセクション、文字検索セクション、選択候補リストセクション、付属品リストセクション、ツリービューセクションで構成される一つの画面を表示する。前記第1 グラフィックセクションにおいて、前記記憶手段に記憶された商品情報に基づいて商品の画像が表示され、このセクション若しくはいずれかのセクションで商品が選択されると、選択された商品及びその商品の付属品も同時にこの画面上で強調されて表示され、前記第2 グラフィックセクションにおいて、前記第1 グラフィックセクションにおいて表示された商品画像を含む、一階層上の商品群画像が表示され、前記文字検索セクションにおいて、前記検索手段によって商品を検索するために商品の文字情報を入力するための入力欄が表示され、前記選択候補リストセクションにおいて、前記第１グラフィックセクションで選択された商品若しくは前記文字検索セクションの検索結果である商品の文字情報が前記記憶手段に記憶された商品情報に基づいて商品リストとして表示され、前記付属品リストセクションにおいて、前記選択候補リストセクションで選択された商品に関する付属品の文字情報が前記記憶手段に記憶された商品情報に基づいて表示され、前記ツリービューセクションにおいて、前記選択候補リストセクションで選択された商品に関する情報が記憶された記憶手段における階層が表示される。更に、これらのセクションは互いに連動して画面をきりかえるようにリンクされており、いずれかのセクションで商品が選択されると、その選択された部品に関する情報を他の各セクションが自動的に表示することを特徴とする。
【０００６】
請求項２に記載の本発明の商品カタログ表示装置は、前記請求項１に記載の特徴に加えて、前記検索および選択画面で選択された商品情報及び前記選択された商品の付属品を確認するための確認画面が表示する確認画面表示手段と、前記検索および選択画面で選択された商品情報を前記確認画面表示手段に転送する転送手段と、前記確認画面で確認された確認情報に基づいて注文画面を表示する注文画面表示手段と、前記確認画面および注文画面からの文字や確認情報を入力するための入力手段と、所定の商品情報に関する数値計算を行う計算手段とを更に備えたことを特徴とする。
【０００７】
請求項３に記載の本発明の商品カタログ表示プログラムは、表示装置と、前記表示装置に接続されたコンピュータを商品カタログ表示装置の各手段として機能させるために、商品の文字情報及び前記商品文字情報と関連付けられた商品画像とを階層的に記憶し、更に、それぞれの一つ商品情報をその一つの商品に関する付属商品の情報と関連づけて記憶手段に記憶する手順と、商品情報に関する文字及び画像を検索する手順と、検索および選択画面を表示する手順と、前記検索および選択画面からの文字及び商品の選択情報を入力するための入力手順と、前記検索および選択画面で選択された商品情報及び前記選択された商品の付属品を確認するための確認画面が表示する手順と、前記検索および選択画面で選択された商品情報を前記確認画面に転送する転送手順と、前記確認画面で確認された確認情報に基づいて注文画面を表示する注文画面表示手順と、前記確認画面および注文画面からの文字や確認情報を入力するための入力手順と、所定の商品情報に関する数値計算を行う計算手順段とを含んでいる。更に、前記検索および選択画面の表示手順は、第1,第2 グラフィックセクション、文字検索セクション、選択候補リストセクション、付属品リストセクション、ツリービューセクションを一つの画面を表示する手順と、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示する手順と、前記第2 グラフィックセクションにおいて、前記第1 グラフィックセクションにおいて表示された商品画像を含む、一階層上の商品群画像を表示する手順と、前記文字検索セクションにおいて、前記検索手段によって商品を検索するために商品の文字情報を入力するための入力欄を表示する手順と、前記選択候補リストセクションにおいて、前記第１グラフィックセクションで選択された商品若しくは前記文字検索セクションの検索結果である商品の文字情報を前記記憶手段に記憶された商品情報に基づいて商品リストとして表示する手順と、前記付属品リストセクションにおいて、前記選択候補リストセクションで選択された商品に関する付属品の文字情報を前記記憶手段に記憶された商品情報に基づいて表示する手順と、前記ツリービューセクションにおいて、前記選択候補リストセクションで選択された商品に関する情報が記憶された記憶手段における階層を表示する手順と、更に、これらのセクションが互いに連動して画面をきりかえるようにリンクする手順と、いずれかのセクションで商品が選択されると、その選択された部品に関する情報を他の各セクションが自動的に表示する手順とを含む。
【０００８】
請求項４に記載の本発明の記録媒体は、表示装置と、前記表示装置に接続されたコンピュータを商品カタログ表示装置の各手段として機能させるための商品カタログ表示プログラムを記憶したコンピュータに読取可能な記録媒体であって、商品の文字情報及び前記商品文字情報と関連付けられた商品画像とを階層的に記憶し、更に、それぞれの一つ商品情報をその一つの商品に関する付属商品の情報と関連づけて記憶手段に記憶する手順と、商品情報に関する文字及び画像を検索する手順と検索および選択画面を表示する手順と前記検索および選択画面からの文字及び商品の選択情報を入力するための入力手順と、前記検索および選択画面で選択された商品情報及び前記選択された商品の付属品を確認するための確認画面が表示する手順と、前記検索および選択画面で選択された商品情報を前記確認画面に転送する転送手順と、前記確認画面で確認された確認情報に基づいて注文画面を表示する注文画面表示手順と、前記確認画面および注文画面からの文字や確認情報を入力するための入力手順と、所定の商品情報に関する数値計算を行う計算手順段とを含み、更に、前記検索および選択画面の表示手順は、第1,第2 グラフィックセクション、文字検索セクション、選択候補リストセクション、付属品リストセクション、ツリービューセクションを一つの画面を表示する手順と、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示する手順と、前記第2 グラフィックセクションにおいて、前記第1 グラフィックセクションにおいて表示された商品画像を含む、一階層上の商品群画像を表示する手順と、前記文字検索セクションにおいて、前記検索手段によって商品を検索するために商品の文字情報を入力するための入力欄を表示する手順と、前記選択候補リストセクションにおいて、前記第１グラフィックセクションで選択された商品若しくは前記文字検索セクションの検索結果である商品の文字情報を前記記憶手段に記憶された商品情報に基づいて商品リストとして表示する手順と、前記付属品リストセクションにおいて、前記選択候補リストセクションで選択された商品に関する付属品の文字情報を前記記憶手段に記憶された商品情報に基づいて表示する手順と、前記ツリービューセクションにおいて、前記選択候補リストセクションで選択された商品に関する情報が記憶された記憶手段における階層を表示する手順と、更に、これらのセクションは互いに連動して画面をきりかえるようにリンクする手順と、いずれかのセクションで商品が選択されると、その選択された部品に関する情報を他の各セクションが自動的に表示する手順を含むものとしてコンピュータを機能させるための商品カタログ表示プログラムを記録したコンピュータ読取可能な記録媒体である。
【０００９】
【発明の実施の形態】
以下本発明の実施形態の例を図面に基づいて説明する。この例では商品として部品を例にとり、説明する。
先ず、本発明に使用される機器の例を示す。フレキシブルディスクやCD-ROM等記録媒体を読み書きするドライバを有するPC、前記PCに接続されて文字や画像等を表示する表示装置、前記PCに文字等の入力をするためのキーボードやマウス、本発明の部品カタログ表示プログラムがPCによって実行されるために、PCによる読み取りが可能なように記録されたフレキシブルディスクやCD-ROM等の記録媒体、前記PCがインターネット等の通信手段を備えている場合は、本発明の部品カタログ表示プログラムを格納したサーバーコンピュータが用いられる。
また、本発明の部品カタログ表示プログラムを格納したサーバーコンピュータとインターネット等の通信手段を介して接続される文字や画像等の表示装置であっても良い。
【００１０】
前記商品カタログ表示プログラムは、前記PCを本発明の商品カタログ表示装置の各手段として機能させるための各手順を含む。
また、前記プログラムには部品情報が含まれており、前記フレキシブルディスクやCD-ROM等の記録媒体、サーバーコンピュータに設けられたメモリに記憶されている。その部品情報は、各部品、相互に関連のある部品を集めた部品ブロック、前記部品ブロックが全て集められた組み立て全図の順に下層から上層へと階層的に且つ、系統的に分けられて記憶されている。具体的には、 1つの部品単位で情報を記憶した電子ファイル（部品）と、相互に関連のある電子ファイルを集めて収納した電子フォルダ（部品ブロック）、前記電子フォルダが全て集められて収納されている上位フォルダ（組み立て全体）である。
【００１１】
更に、前記部品情報には文字情報とグラフィック（画像）情報が含まれ、前記字情報とグラフィック（画像）情報は互いに関連付けられて記憶されている。更に、ある一つの部品を購入して、それを使用する際には必ず必要となる付属品がある場合は、前記ある一つの部品情報とその必要付属品の情報は関連付けられて記憶されている。
ここで、付属品に関して商品によっては必要付属品ではなく、売り手側が必要に応じて任意に所定の商品に関連付けた付属品であっても良い。
前記文字情報には、部品番号、部品名、サブアッセンブリ名、部品ブロック名、図番、部品一個当たりの重量、部品一セット当たりの重量、一セット当たりの数量、部品一個当たりの価格、部品一セット当たりの価格といったものが含まれる。
【００１２】
また、画面からの文字及び商品の選択や確認情報の入力の実行や商品情報に関する文字及び画像の検索の実行を可能にするために、表示画面にはGUI(Graphical User Interface) が設けられており、ポインターを表示画面の所定の場所に移動させてマウスをクリックすることによってプログラムが進行する。
更に、表示装置の作動工程（作動手順）を後述するが、その際に、全体図（組み立て全図）→中間図（部品ブロック図）→詳細図（部品図）まで段階を追って表示されていき、最終段階では構成部品とその部品に付属する関連部品が色別されて表示される。
その部品着色の方法には、３つの方法がある。
(1)マウスをクリックすると前記記憶手段の画像部品情報を画面上に呼び込む。もとも全体図中に赤色と青色に着色されている絵が前記記憶手段に入っており、マウスのクリックを受けて前記記憶手段中の画像部品情報を原画中に上のせする。上の出力画しか見えない。
(2)マウスをクリックすると前記記憶手段の画像部品情報を画面上に呼び込む。赤色と青色の絵が部分的に入っており、色だけ重ね合わせる。他の部分は透明にする。
(3)構成部品と付属部品ごとに要素を閉曲線の寄せ集めとして記憶手段中に登録する。そのとき閉曲線の座標も原画の対象部品の座標と同一とするよう登録しておく。マウスをクリックするとその座標に対応する記憶手段中の閉曲線で囲まれた面または閉曲線またはそれらを加えたものがプログラムによってその都度着色される。
【００１３】
次に、本発明の商品カタログ表示装置の作動工程を説明する。まず、本発明の商品カタログ表示プログラムが格納された前記フレキシブルディスク若しくはCD-ROM等の記録媒体を前記ドロイバに挿入し、PCのハードディスク上に本発明の商品カタログ表示プログラムをインストールする。前記PCがインターネット等の通信手段を備えている場合は、本発明の部品カタログ表示プログラムを格納したサーバーコンピュータからPCのハードディスク上へダウンロードする。
本ソフトを頻繁に使う場合は、アイコンをデスクトップ上につくっておくことが好ましい。
このソフトでは、
(1) Search and Select(検索および選択画面)
(2) Confirmation( 確認画面)
(3) Order List( 注文画面)
を使って、製品を構成している部品を、Part No （部品番号）、 Part Name（部品名）、 Dwg No Mark（図面番号）、図形を基に、検索及び選択を実行して確認し、注文したい部品とその数量や質量を一定のフォームでまとめて表示する。さらにまとめたものを汎用表計算アプリケーションに対応するファイル形式で保存する（図７参照）。
【００１４】
次に、具体的な表示画面を示す図面を参照しつつ作動工程（作動手順）を説明する。
PCの表示画面において、アイコンまたはこのプログラムの実行コマンド上にポインタを移動させ、マウスを２回クリックすると、図1 に示すようなメインメニュー画面が出る。メインメニューは、Search and Select(検索および選択画面) 画面、Confirmation (確認) 画面、Order List (注文) 画面から構成される。最初はSearch and Selcet(選択および検索) 画面が前面に現れている。
画面の左上部にはメニュー選択ボタンが配置されている。部品を検索したり、選択する場合、Search and Select ボタンA を選択する。部品の仕様を確認する場合、Confimation ボタンB を選択する。必要な数量を入力して注文する場合、Order ListボタンC を選択する。
【００１５】
(検索及び選択画面)
検索及び選択画面は、グラフィックセクションD,F 、文字検索セクションE 、選択候補リストセクション2 、必要付属部品リストセクション3 、ツリービューセクション4 で構成される。これらのセクションは互いに連動して画面をきりかえるようにリンクされている。いずれかのセクションで部品が選択されると、その選択された部品に関する情報を他の各セクションが自動的に表示する。  各セクションごとに表示されうる部品の情報は異なっている。例えば、グラフィックセクションD,F においては画像情報であり、選択候補リストセクション2 及び必要付属部品リストセクション3 においては文字情報であり、ツリービューセクション4 においてはその部品情報が保存されているフォルダ情報である。
前記各セクションがどのように連動して画面を変えるかは、以下の説明において明らかにされる。
【００１６】
前記グラフィックセクションD,F は、図１に示すように、二つのグラフィック画面から構成されている。下位階層にあるグラフィックを示す第１グラフィック画面D と前記下位階層に対して一つ上位の階層のグラフィックを示す第２グラフィック画面F である。グラフィック画面は拡大して使うこともできる。
前記グラフィックセクションD,F 上の部品イメージ内で該当部品上にポインタを移動させ、マウスを１回クリックして部品を選択すると、その部品及びその部品に必要な付属品が確認しやすいように着色されて強調される。例えば、該当部品は赤く、その必要な付属品は青く着色される。
それと同時に選択候補リストセクション２及び必要付属部品リストセクション3 上に前記選択された部品及びその部品に必要な付属品がそれぞれ表示される。また、すでにいくつかの部品が選択候補として選択候補リストセクション２に表示されている場合は、その該当部品が反転文字に変わる。それと同時に、該当部品に必要な付属品が必要付属部品リストセクション3 に表示される。
【００１７】
前記第１グラフィック画面D 内の右下に画面切換え用第1,第2,第3 切換ボタンJ,K,L が設けられている。第1 切換ボタンJ 上にポインタを移動させ、マウスを２回クリックすると、一つ上の階層に上がる。第2 切換ボタンK 上にポインタを移動させ、マウスを２回クリックすると、一つ下の階層に下がる。第2 切換ボタンL 上にポインタを移動させ、マウスを２回クリックすると、グラフィックを拡大し、別のWlNDOWを開く。
【００１８】
文字検索セクションE において、部品の情報がその一部しかわかっていないとき、部品のそのわかっている一部の情報を入力し検索する。例えば、Part No （部品番号）、 Part Name（部品名）、 Dwg No Mark（図面番号）を入力し検索する。その検索の結果得られた候補となる部品のリストが選択候補リストセクション２に選択候補リストとして表示される。
【００１９】
選択候補リストセクション２には、前記第１グラフィック画面D で選択された部品もしくは文字検索セクションE における検索結果が表示される。
すでにいくつかの部品が選択候補として選択候補リストセクション２に表示されている場合、マウスを移動させてポインタによって選択部品を指し示すと、その該当部品は反転文字に変わる。それと同時に、該当部品に必要な付属品が必要付属部品リストセクション3 に表示される。更に、前記文字の反転と同時に、前記グラフィックセクションD,F 上では、該当部品及びその部品に必要な付属品が確認しやすいように着色される。該当部品は赤く、その必要付属品は青く着色される。
前記選択候補リストセクション２の左上部に、前記検索及び選択画面での部品の選択情報を確認画面と注文画面へ送るための転送ボタンU が設けられている。
【００２０】
前記必要付属部品リストセクション3 には、前記選択候補リスト中から選択された部品を使用するにあたって必ず必要となる必要付属部品が表示される。前記必要付属部品リスト上でマウスを移動させてポインタによって指し示された必要付属部品は反転文字に変わる。それと同時に、前記グラフィックセクションD,F 上では、該当必要付属品が確認しやすいように青く着色される。
ツリービューセクション4 では、第１グラフィックセクションD または選択候補リストセクション２において選択された部品に関するフォルダが開かれて表示される。また、このツリービューセクション4 において目的の部品を含む部品ブロックまでフォルダを開くと、その部品ブロックに含まれる部品が選択候補リストセクション2 に表示される。
【００２１】
(グラフィックより選ぶ）
第１グラフィックセクションD では、図２に示すように、最初は全体組立図が表示される。第１グラフィックセクションD 内の、目的の「部分組立図」の図形またはその名称上にポインタを移動させ、マウスを１回クリックすると、赤く着色される。
【００２２】
第１グラフィックセクションD においてダブルクリックするか、「一つ下層へ」の第２切換ボタンK を２回クリックすると、図３に示すように、「部分組立図」のグラフィックに変わる。そのとき、一つ上位階層のグラフィックセクション、即ち第２グラフィックセクションF では、先ほどまで第１グラフィックセクションD に表示されていた「全体組立図」が表示される。
第１グラフィックセクションD 内の目的の「部品ブロック」の図形またはその名称上にポインタを移動させ、マウスを１回クリックすると、赤く着色される。
【００２３】
次に、第１グラフィックセクションD 内の目的の「部品ブロック」の図形またはその名称上でポインタを停止させ、マウスを２回クリックするか、「一つ下層へ」の第２切換ボタンK を２回クリックする。すると、図1 に示されるように、第１グラフィックセクションD 内は目的の「部品ブロック」のグラフィックに変わり、各部品のイメージ画像が表示される、
そのとき第２グラフィックセクションF では、先ほどまで第１グラフィックセクションD で表示されていた「部品組立図」が表示される。また、ツリー・ビューセクション4 には選択候補リストセクション2 該当する「部品ブロック」のフォルダが開く。
【００２４】
第１グラフィックセクションD で表示されている「部品ブロック」内で選択する部品上にポインタを移動させ、マウスを１回クリックすると、選択された部品が赤く着色され、選択候補リストセクション2 上でその部品の詳細情報が表示されその欄が反転する。
選択された部品に必要消耗部品等の必要付属部品がある場合は、前記部品の選択と同時にそれに付随する必要付属部品も青く着色される。そして、必要付属部品リストセクション3 でその部品の詳細情報が表示される。
このようにして、部品の選択をしたら、転送ボタンU 上にポインタを移動させ、マウスを２回クリックする。そして、部品の選択の情報を確認画面に転送する。
【００２５】
（文字検索より選ぶ）
次に、文字検索セクションE から部品を検索して選ぶ場合を図1 を参照しつつ説明する。
図1 に示す文字検索セクションE において、検索項目入力欄P-T にポインタを移動させ、マウスを１回クリックするとキーボードから文字等が入力可能な状態となるので、少なくとも検索項目入力欄P-T の少なくとも一欄に検索したい部品の情報を入力する。そして、検索ボタンM 上にポインタを移動させ、マウスを 2回クリックする。すると、検索結果が選択候補リストセクション2 上に部品選択候補リストとして表示される。
【００２６】
各検索項目入力欄P-T に入力されるべき内容を下記に示す。左側の入力欄に対して右側の内容が入力される。
検索項目入力欄                前記検索項目欄に入力される内容
「Part No 」入力欄P                   部品番号
「Part Name 」入力欄Q                 部品名
「Sub Assmbly 」入力欄R               サブアッセンブリ名
「Part Block」入力欄S                 部品ブロック名
「Dwg No Mark 」入力欄T               図番
尚、入力欄R,S は、それぞれサブアッセンブリ名及び部品ブロック名の参照データとリンクされており、右端に参照ボタンが設けられている。この参照ボタン上にポインタを移動させ、マウスを１回クリックすると参照名が現れるので、その中から選択することができる。
【００２７】
図1 に示す文字検索セクションE において、上部中央の「Complete agreement」チェックボックスO にポインタを移動させ、マウスを左１クリックしてチェックマークを入れると、上記の検索項目に入力した文字について完全一致した部品が選択される。チェックマークがないと、部分一致したものが検索される。また、クリアボタンN 上にポインタを移動させ、マウスを 2回クリックすると、検索結果がクリアされる。
【００２８】
不完全一致の検索では、複数の部品が選択候補リストセクション2 の部品選択候補リストに出力される。そのときは、部品選択候補リストに表示されている部品情報等から絞込む。
選択候補リストセクション2 の部品選択候補リスト及び必要付属部品リストセクション3 の必要付属部品リストには以下の部品情報X1-X6 が示されている。尚、図1 における部品情報の符号X1-X6 は必要付属部品リストセクション3 のみに表示されているが、選択候補リストセクション2 においても同様である。左側の情報欄に対して右側の内容が表示される。
【００２９】
部品情報欄                前記部品情報欄に表示される内容
「Part No 」情報欄X1                部品番号
「Part Name 」情報欄X2              部品名
「Dwg No Mark 」情報欄X3            図番
「MASS(kg)/PIECE」情報欄X4      一個当たりの重量
「MASS(kg)/SET」情報欄X5        一セット当たりの重量
「QUANTITY/SET」情報欄X6        一セット当たりの数量
【００３０】
更に、選択候補リストセクション2 の部品選択候補リスト内で目的の部品と思われる部品欄の上にポインタを移動させて文字を反転させる。すると、前記ポインタによって指し示された部品のグラフィックが第１グラフィックセクションD に表示される。そして、目的の部品と思われる部品欄の上でポインタを停止させたままマウスを１回クリックすると、第１グラフィックセクションD 内で目的の部品が赤く、そして、その部品の必要付属品が青く着色される。それを見て、目的の部品であるかどうかを確認する。このような工程 (手順）を繰返して部品選択候補リストから絞込む。
なお、「検索」で抽出した他の選択候補が消えてしまうので、検索中は、グラフィックセクションD,F からの部品の選択はできない。すなわち「グラフィック」上の他の部品上にポインタを移動させ、マウスをクリックしても着色されたり、部品候補リスト上で該当部品に移ったりすることはできない。
「検索」から別の工程に移りたいときは、いったんクリアボタンN を押し、検索を解除する。そのときグラフィック画面は初期画面に移る。
【００３１】
選択された部品に必要消耗部品等の必要付属部品がある場合は、前記部品欄の文字の反転選択と同時にそれに付随する必要付属部品が必要付属部品リストセクション3 に表示される。そして、必要付属部品リストセクション3 でその部品の詳細情報が表示される。
【００３２】
上記のような工程（手順）を繰返して部品選択候補リストから目的の部品を絞込み、部品を選択をしたら、転送ボタンU 上にポインタを移動させ、マウスを２回クリックする。そして、部品の選択の情報を確認画面に転送する。
【００３３】
(確認画面 )
確認画面において、前記検索及び選択画面において選択された部品情報を確認することができる。メニュー選択ボタンの中からConfimation ボタンB 上にポインタを移動させ、マウスを２回クリックする。
すると、図4 に示すように、確認画面が表れる。確認画面は、第１, 第２グラフィックセクションD,F 、選択部品リストセクション5 、選択必要付属部品リストセクション6 から構成される。
選択部品リストセクション5 において、選択した部品情報の一覧を見ることができる。選択必要付属部品リストセクション6 において前記選択された部品に対する必要付属部品の情報が見ることができる。
【００３４】
選択部品リストセクション5 若しくは選択必要付属部品リストセクション6 内でカーソルやポインタを動かすと、第１, 第２グラフィックセクションD,F 内で前記カーソルやポインタに対応する部品のイメージ画像が着色される。例えば、選択部品は赤く、選択必要付属部品は青く着色される。
不要な部品はこの画面上で除くことができる。不要部品上にカーソルを移動させる、若しくはポインタを移動させてマウスをクリックすると、該当部品情報欄の文字が反転表示される。次にゴミ箱マークV をクリックする。
【００３５】
選択部品を追加したいときは、Confimation ボタンB 上にポインタを移動させ、マウスを２回クリックして検索及び選択画面に戻る。検索及び選択画面において選択されて確認画面に転送されてきた選択部品情報は、確認画面に追加される。確認を終えたら、注文画面に移る。
【００３６】
(注文画面)
確認された部品を、注文画面を通じて業務処理することができる。メニュー選択ボタンの中からOrder ListボタンC 上にポインタを移動させ、マウスを２回クリックする。
すると、図5 に示すように、注文画面が表れる。注文画面は、注文部品リストセクション7 、注文必要付属部品リストセクション8 から構成される。
前記注文部品リストセクション7 は、前記確認画面の選択部品リストセクション5 で確認された部品情報の一覧を示している。前記注文必要付属部品リストセクション8 は前記確認画面の選択必要付属部品リストセクション6 で確認された必要付属部品の情報が示されている。
【００３７】
それぞれのセクション7,8 において、注文数量入力欄Y 上にポインタを移動させてマウスを１回クリックし、注文しようとする必要な数量を入力する。
注文な数量を入力後、重量計算ボタンZ1上にポインタを移動させ、マウスを２回クリックすると、注文数量に対する重量が、それぞれのセクション7,8 の注文重量欄Z2に表示される。ここで、商品注文数量に対する価格を計算させてそれぞれのセクション7,8 中の表に表示させるようにしても良い。
印刷ボタンW 上にポインタを移動させ、マウスを２回クリックすると印刷することができる。
【００３８】
この注文画面の内容を汎用表計算アプリケーションへ出力する場合、表計算ボタン1 上にポインタを移動させ、マウスを 2回クリックすると、図6 に示されるように、汎用表計算アプリケーション上の画面に出力する。前記汎用表計算アプリケーションとしては、Microsoft 社製Excel などがある。
【００３９】
【発明の効果】
請求項１に記載の本発明の商品カタログ表示装置は、検索および選択画面表示手段が、第1,第2 グラフィックセクション、文字検索セクション、選択候補リストセクション、付属品リストセクション、ツリービューセクションを一つの画面に表示し、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示し、更に、これらのセクションは互いに連動して画面をきりかえるようにリンクされており、いずれかのセクションで商品が選択されると、その選択された部品に関する情報を他の各セクションが自動的に表示する。そのため、所望の部品及びその付属品を容易に検索して選択することができるという効果を奏する。
【００４０】
請求項２に記載の本発明の商品カタログ表示装置は、前記請求項１に記載の特徴に加えて、確認画面表示手段と、注文画面表示手段と、前記確認画面と注文画面から文字や確認情報を入力するための入力手段と、所定の商品情報に関する数値計算を行う計算手段とを有している。そのため、請求項２に記載の本発明の商品カタログ表示装置は、前記請求項２に記載の効果に加えて、所定の商品情報、例えば、重量や価格に関して数値計算が表示画面上で容易に行えるという効果を奏する。
【００４１】
請求項３に記載の本発明の商品カタログ表示プログラムは、検索および選択画面の表示手順が、第1,第2 グラフィックセクション、文字検索セクション、選択候補リストセクション、付属品リストセクション、ツリービューセクションを一つの画面を表示する手順と、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示する手順と、これらのセクションが互いに連動して画面をきりかえるようにリンクする手順と、いずれかのセクションで商品が選択されると、その選択された部品に関する情報を他の各セクションが自動的に表示する手順とを含む。更に、確認画面を表示する手順および注文画面を表示する手順と、前記確認画面および注文画面から文字や確認情報を入力するための入力手順と、所定の商品情報に関する数値計算を行う計算手順段とを含んでいる。そのため、所望の部品及びその付属品を容易に検索して選択することができるという効果を奏し、所定の商品情報、例えば、重量や価格に関して数値計算が表示画面上で容易に行えるという効果を奏する商品カタログ表示装置としてコンピュータを機能させることができる。
【００４２】
請求項４に記載の本発明の記録媒体は、検索および選択画面の表示手順が、第1,第2 グラフィックセクション、文字検索セクション、選択候補リストセクション、付属品リストセクション、ツリービューセクションを一つの画面を表示する手順と、前記第1 グラフィックセクションにおいて、前記記憶手段に記憶された商品情報に基づいて商品の画像を表示し、このセクション若しくはいずれかのセクションで商品が選択されると、選択された商品及びその商品の付属品も同時にこの画面上で強調して表示する手順と、これらのセクションが互いに連動して画面をきりかえるようにリンクする手順と、いずれかのセクションで商品が選択されると、その選択された部品に関する情報を他の各セクションが自動的に表示する手順とを含む。更に、確認画面を表示する手順および注文画面を表示する手順と、前記確認画面および注文画面から文字や確認情報を入力するための入力手順と、所定の商品情報に関する数値計算を行う計算手順段とを含んでいる。そのため、所望の部品及びその付属品を容易に検索して選択することができるという効果を奏し、所定の商品情報、例えば、重量や価格に関して数値計算が表示画面上で容易に行えるという効果を奏する商品カタログ表示装置としてコンピュータを機能させることができる。
【図面の簡単な説明】
【図１】本発明の実施形態例の商品カタログ表示装置の検索及び選択画面を示す図である。
【図２】本発明の実施形態例の商品カタログ表示装置の検索及び選択画面を示す図である。
【図３】本発明の実施形態例の商品カタログ表示装置の検索及び選択画面を示す図である。
【図４】本発明の実施形態例の商品カタログ表示装置の確認画面を示す図である。
【図５】本発明の実施形態例の商品カタログ表示装置の注文画面を示す図である。
【図６】本発明の実施形態例の商品カタログ表示装置の注文画面から汎用表計算アプリケーションの画面出力した例を示す図である。
【図７】本発明の実施形態例の商品カタログ表示装置の作動工程の概略を示すフローチャート図である。
【符号の説明】
A       選択および検索ボタン
B       確認ボタン
C       注文ボタン
D,F     第１, 第２グラフィックセクション
E       文字検索セクション
J,K,L   第1,第2,第3 画面切換ボタン
M       検索ボタン
N       クリアボタン
O       チックボックス
P       部品番号入力欄
Q       部品名入力欄
R       サブアッセンブリ入力欄
S       部品ブロック入力欄
T       図番号入力欄
U       転送ボタン
X1      部品番号情報欄
X2      部品名情報欄
X3      図番情報欄
X4      一個当たりの重量情報欄
X5      一セット当たりの重量情報欄
X6      一セット当たりの数量情報欄
2       選択候補リストセクション
3       必要付属部品リストセクション
4       ツリービューセクション
【図１】
0003784695.tif 000002
【図２】
0003784695.tif 000003
【図３】
0003784695.tif 000004
【図４】
0003784695.tif 000005
【図５】
0003784695.tif 000006
【図６】
0003784695.tif 000007
【図７】
0003784695.tif 000008